(57)【特許請求の範囲】
【請求項１】
取付金物の取付孔に挿通したボルトを被取付金具のねじ孔に螺着するに先立ち、被取付金具のねじ孔を取付金物の取付孔に位置合せするガイドピンであって、
被取付金具のねじ孔に螺着されるおねじ部と、
おねじ部に連続する支軸と、
支軸の外周に回転自在に装填され、支軸に抜け止め支持されるカラー状ガイド部とを有してなるガイドピン。
【請求項２】
前記カラー状ガイド部の先端外周が先細り部とされてなる請求項１に記載のガイドピン。
【請求項３】
前記カラー状ガイド部の内周には潤滑用オイル溝が形成される請求項１又は２に記載のガイドピン。
【請求項４】
前記支軸の先端面には工具係合孔が設けられる請求項１〜３のいずれかに記載のガイドピン。
【請求項５】
前記カラー状ガイド部は、前記支軸の先端側に係着した止め輪により抜け止め支持される請求項１〜４のいずれかに記載のガイドピン。
【請求項６】
前記取付金物が基礎構造体に固定され、前記被取付金具が建物ユニットの柱脚に固定されてなる請求項１〜５のいずれかに記載のガイドピン。
【発明の詳細な説明】
【技術分野】
【０００１】
本発明は、ガイドピンに関する。
【背景技術】
【０００２】
ユニット建物では、特許文献１に記載の如く、柱と梁を溶接した骨組構造体からなる建物ユニットの柱脚を基礎にピン接合している。
【特許文献１】特開平8-302823（３頁、図２）
【発明の開示】
【発明が解決しようとする課題】
【０００３】
従来技術では、梁の剛性が小さいため、柱の断面を強化しても、柱脚が基礎に対して回転し、建物の水平剛性が上がらない。このため、壁面に中柱を付加したり、天井面に水平ブレースを付加する等が必要になり、これらが建物のプランの制約、コスト高の原因になる。
【０００４】
本発明の課題は、基礎等に固定した取付金物の取付孔に挿通したボルトを、建物ユニットの柱脚等に固定した被取付金具のねじ孔に螺着するに先立ち、被取付金具のねじ孔を取付金物の取付孔に容易に位置合せし、ボルトの取付性を向上することにある。
【課題を解決するための手段】
【０００５】
請求項１の発明は、取付金物の取付孔に挿通したボルトを被取付金具のねじ孔に螺着するに先立ち、被取付金具のねじ孔を取付金物の取付孔に位置合せするガイドピンであって、被取付金具のねじ孔に螺着されるおねじ部と、おねじ部に連続する支軸と、支軸の外周に回転自在に装填され、支軸に抜け止め支持されるカラー状ガイド部とを有してなるようにしたものである。
【０００６】
請求項２の発明は、請求項１の発明において更に、前記カラー状ガイド部の先端外周が先細り部とされてなるようにしたものである。
【０００７】
請求項３の発明は、請求項１又は２の発明において更に、前記カラー状ガイド部の内周には潤滑用オイル溝が形成されるようにしたものである。
【０００８】
請求項４の発明は、請求項１〜３のいずれかの発明において更に、前記支軸の先端面には工具係合孔が設けられるようにしたものである。
【０００９】
請求項５の発明は、請求項１〜４のいずれかの発明において更に、前記カラー状ガイド部は、前記支軸の先端側に係着した止め輪により抜け止め支持されるようにしたものである。
【００１０】
請求項６の発明は、請求項１〜５のいずれかの発明において更に、前記取付金物が基礎構造体に固定され、前記被取付金具が建物ユニットの柱脚に固定されてなるようにしたものである。
【００１１】
【００１２】
【００１３】
【００１４】
【００１５】
【００１６】
【００１７】
【００１８】
【発明を実施するための最良の形態】
【００１９】
図１はユニット建物の模式平面図、図２は建物ユニットを示し、（Ａ）は側面図、（Ｂ）は模式図、図３は建物ユニットの柱と床梁を示す断面図、図４は建物ユニットの基礎接合構造を示し、（Ａ）は縦断面図、（Ｂ）は平面図、図５は相隣る建物ユニットの水平連結構造を示す平面図、図６は建物ユニットの柱脚と中子の接合構造を示し、（Ａ）は桁方向接合断面図、（Ｂ）妻方向接合断面図、図７は建物ユニットの基礎接合構造を示す縦断面図、図８は建物ユニットの柱脚と中子の接合構造を示し、（Ａ）は縦断面図、（Ｂ）は平面図、図９は中子を示し、（Ａ）は縦断面図、（Ｂ）は平面図、図１０は建物ユニットの基礎接合部を示す平面図、図１１は建物ユニットの基礎接合構造を示す縦断面図、図１２は基礎構造体を示し、（Ａ）は平面図、（Ｂ）は縦面図、図１３は建物ユニットの基礎接合部の変形例を示す平面図、図１４は基礎構造体を示し、（Ａ）は平面図、（Ｂ）は縦断面図、図１５は建物ユニットの基礎接合部の変形例を示す平面図、図１６は基礎構造体を示す平面図、図１７は建物ユニットの基礎接合部の変形例を示す平面図、図１８は基礎構造体を示す平面図、図１９はガイドピンを示す断面図、図２０は基礎への柱脚の接合過程を示す斜視図、図２１はガイドピンの変形例を示す断面図、図２２は建物ユニットの基礎接合構造を示す縦断面図である。
【実施例】
【００２０】
ユニット建物１０は、図１、図２に示す如く、複数の工場生産された建物ユニット２０を、建築現場に設けてある基礎１１の上で互いに水平方向に隣接設置するように、基礎１１の上に据付けて構築される。
【００２１】
建物ユニット２０は、図２に示す如く、４本の角鋼管製柱２１の柱脚２１Ａに形鋼製床梁２２を架け渡すように溶接し、柱２１の柱頭に形鋼製天井梁２３を架け渡すように溶接した、直方体状の骨組構造体からなる。
【００２２】
建物ユニット２０は、図３、図４に示す如く、柱２１の柱脚２１Ａの外側面に断面コの字状の接続具２４の一端を溶接し、この接続具２４のコの字状断面内に床梁２２の端部を抱き込んだ状態にして該床梁２２を接続具２４に溶接保持する。このとき、柱２１の柱脚２１Ａの下端開口には柱蓋が設けられず、床梁２２は柱２１の柱脚２１Ａにピン接合されるものになる。但し、柱脚２１Ａの下端開口に、建物ユニット２０の製造輸送段階で用いられる仮蓋２５を設けることはできる。尚、柱２１の柱頭の上端開口には柱蓋が設けられており、天井梁２３は柱２１の柱頭に剛接合される。
【００２３】
建物ユニット２０の基礎接合構造にあっては、図２、図４に示す如く、柱２１の柱脚２１Ａを基礎１１に剛接合して固定される。具体的には、基礎１１のコンクリート製べた基礎１２にアンカーボルト１２Ａを用いて鋼製基礎構造体１３を固定し、基礎構造体１３の基板１３Ａに溶接されるとともに斜材１３Ｂで補強された角鋼管製支持部１４に鋼製中子１５の下端部を挿入して溶接し、中子１５を上方に向けて立設する。鋼管製支持部１４の横断面の外径寸法は、本実施形態において、柱脚２１Ａの外径寸法と同一をなす。そして、基礎１１への建物ユニット２０の据付時に、基礎１１の中子１５を建物ユニット２０の柱２１の柱脚２１Ａの中空部に挿入し、柱脚２１Ａ及び中子１５を貫通する上下２本の高力ボルト３１、座金３２、ナット３３により、柱脚２１Ａと中子１５を接合する。中子１５は、高力ボルト３１の軸方向に沿う建物ユニット２０の桁方向では柱脚２１Ａの内面に隙間なく密着し、建物ユニット２０の妻方向では柱脚２１Ａの内面との間に隙間を介する（図４）。
【００２４】
尚、各ユニット建物２０の柱２１において、桁方向で相隣る建物ユニット２０の柱２１がないものにあっては、単一の柱２１の柱脚２１Ａ及び中子１５を単一の高力ボルト３１で接合する（図４（Ｂ））。他方、桁方向で相隣る２組の建物ユニット２０の柱２１にあっては、両柱脚２１Ａの間にスペーサ３４を挟み、単一の高力ボルト３１でそれら２組の柱脚２１Ａ及び中子１５を接合する（図５）。
【００２５】
建物ユニット２０の上述した基礎接合構造において、柱脚２１Ａの内面幅をｄ、上下の高力ボルト３１のスパンをｅとするとき、建物ユニット２０の桁方向では、図６（Ａ）に示す如く、鉛直方向力ｆ1、水平方向力ｆ2、曲げモーメントＭａの間で、ｄ×ｆ1＋ｅ×ｆ2＞Ｍａが成立する。また、建物ユニット２０の妻方向では、図６（Ｂ）に示す如く、水平方向力ｆ、曲げモーメントＭｂの間で、ｅ×ｆ＞Ｍｂが成立する。即ち、建物ユニット２０の桁方向で柱脚２１Ａの内面に密着する中子１５を上下２本の高力ボルト３１で締結することにより、柱脚２１Ａと中子１５を桁方向及び妻方向の両方で剛接合できる。
【００２６】
建物ユニット２０の上述した基礎接合構造において、床梁２２のための接続具２４は、柱２１の柱脚２１Ａにおける中子１５が挿入される中空部の外側面に溶接されており、本発明の補強金物を構成する。
【００２７】
建物ユニット２０の上述した基礎接合構造によれば以下の作用を奏する。
(a)建物ユニット２０の柱脚２１Ａを基礎１１に剛接合したことにより、基礎１１に対する柱脚２１Ａの回転が抑えられ、建物の水平剛性を向上できる。建物の水平剛性を上げるために、柱２１の断面を強化する必要がないし、中柱や水平ブレースを付加する必要もなく、建物のプランの自由度を増し、コスト低減できる。
【００２８】
(b)基礎１１に設けた中子１５を柱脚２１Ａの中空部に挿入し、柱脚２１Ａ及び中子１５を貫通する高力ボルト３１により柱脚２１Ａと中子１５を密着させて接合した。これにより、柱脚２１Ａと中子１５が密着する桁方向と、柱脚２１Ａと中子１５が隙間を介する妻方向の両方向で、柱脚２１Ａと中子１５を剛接合できる。従って、柱脚２１Ａを基礎１１に対し簡易に剛接合できる。
【００２９】
(c)柱脚２１Ａの中子１５が挿入される中空部の外面に補強金物２４を接合した。これにより、補強金物２４が柱脚２１Ａの剛性低下を抑制してその局部変形を防止する。
【００３０】
(d)柱脚２１Ａに設けた床梁２２のための接続具２４を、上述(c)の補強金物２４として利用することができる。
【００３１】
(e)床梁２２を柱脚２１Ａにピン接合することにより、建物ユニット２０の骨組の簡素を図りながら、前述(a)により建物の水平剛性を確保できる。
【００３２】
尚、建物ユニット２０の上述した基礎接合構造により、建物の水平剛性は、従来例（柱脚２１Ａを基礎１１にピン接合したもの）に比し1.65倍になることを認めた。
【００３３】
図７はピロティ（車庫等を含む）を構成する建物ユニット２０のための基礎接合構造であり、建物ユニット２０は骨組構造体の少なくとも一側面に床梁２２を有さない。基礎１１のコンクリート製べた基礎１２に、鋼管製支持体４１の下端部を植設し、この鋼管製支持体４１に鋼製中子１５の下端部を挿入して溶接し、中子１５を上方に向けて立設する。尚、鋼管製支持体４１は、建物ユニット２０における床梁２２を有さない側面の内側に図３の基板１３Ａ、斜材１３Ｂの如くを伴なわないから、べた基礎１２への植設部に係止突起４１Ａを備えたり、横断面の外径寸法を柱脚２１Ａの外径寸法より大きくする等にて強化されている。そして、基礎１１への建物ユニット２０の据付時に、基礎１１の中子１５を建物ユニット２０の柱２１の柱脚２１Ａの中空部に挿入し、柱脚２１Ａ及び中子１５を貫通する上下２本の高力ボルト３１、座金３２、ナット３３により、柱脚２１Ａと中子１５を接合する。中子１５は、高力ボルト３１の軸方向に沿う建物ユニット２０の桁方向では柱脚２１Ａの内面に隙間なく密着し、建物ユニット２０の妻方向では柱脚２１Ａの内面との間に隙間を介する（図４）。
【００３４】
建物ユニット２０の上述した基礎接合構造においては、柱脚２１Ａの中子１５が挿入される中空部の外側面に、前述した接続具兼補強金物２４に類似する、短尺で、建物ユニット２０の内側への張り出し寸法の小なる補強金物を接合することができる。柱脚２１Ａの剛性低下を抑制してその局部変形を防止する。
【００３５】
図８は基礎１１の前述した鋼管製支持部１４（又は鋼管製支持体４１）に設ける中子５１の変形使用例である。中子５１は、図９に示す如く、２枚の鋼製添え板５２Ａ、５２Ｂの間に、２個の鋼製厚板５３Ａ、５３Ｂを挟んで溶接したものであり、２枚の添え板５２Ａ、５２Ｂにはボルト挿通孔を、２個の厚板５３Ａ、５３Ｂの間にはボルト挿通間隙を形成してある。基礎１１の鋼管製支持部１４（又は鋼管製支持体４１）に中子５１の下端部を挿入し、鋼管製支持部１４及び中子５１を貫通する上下２本の高力ボルト５４、座金、ナットにより鋼管製支持部１４と中子５１を接合するとともに、中子５１を建物ユニット２０の柱２１の柱脚２１Ａの中空部に挿入し、柱脚２１Ａ及び中子５１を貫通する上下２本の高力ボルト５５、座金、ナットにより柱脚２１Ａと中子５１を接合する。中子５１は、高力ボルト５４、５５の軸方向に沿う建物ユニット２０の桁方向では鋼管製支持部１４、柱脚２１Ａの内面に隙間なく密着し、建物ユニット２０の妻方向では鋼管製支持部１４、柱脚２１Ａの内面との間に隙間を介する（図８）。
【００３６】
図１０、図１１は、建物ユニット２０の基礎接合部を示すものであり、ユニット建物１０の外周コーナー部に位置する建物ユニット２０の１本の柱２１の柱脚２１Ａを基礎６０に剛接合して固定するものである。
【００３７】
基礎６０は、図１１に示す如く、コンクリート製べた基礎６１の埋込みプレート６１Ａに固着したアンカーボルト６２を用いて鋼製基礎構造体６３を固定する。基礎構造体６３は、図１２に示す如く、平面視でＬ字状をなす本体部６３ＡのＬ字状底部の３位置のそれぞれに設けたボルト固定プレート６３Ｂを、べた基礎６１上にてアンカーボルト６２により固体される。基礎構造体６３は、本体部６３Ａの上部に複数個（例えば４個）のスリーブ状の鋼製取付金物６４を溶接にて固定し、各取付金物６４に取付孔６４Ａを設ける。他方、建物ユニット２０の柱２１の柱脚２１Ａの中空下端部内の複数ヵ所（例えば４ヵ所）のそれぞれは、被取付金具６５が溶接にて固定され、各被取付金具６５にねじ孔６５Ａが設けられる。従って、基礎６０への建物ユニット２０の据付時に、基礎６０の取付金物６４の取付孔６４Ａに、柱脚２１Ａの被取付金具６５のねじ孔６５Ａを位置合せし、取付金物６４の取付孔６４Ａに挿通した高力ボルト６６を被取付金具６５のねじ孔６５Ａに螺着することにより、柱脚２１Ａを基礎６０の取付金物６４に剛接合する。
【００３８】
図１３は、建物ユニット２０の基礎接合部の変形例を示すものであり、ユニット建物１０の相隣る２個の建物ユニット２０の２本の柱２１の柱脚２１Ａを基礎６０に剛接合して固定するものである。図１３の基礎６０が図１０の基礎６０と異なる点は、基礎構造体６３として、図１４に示す如く、平面視でＴ字状をなす本体部６３ＡのＴ字状底部におけるＴ字の交差部を含む４位置のそれぞれに設けたボルト固定プレート６３Ｂを、べた基礎６１上にてアンカーボルト６２により固定することにある。
【００３９】
図１５は、建物ユニット２０の基礎接合部の変形例を示すものであり、ユニット建物１０の相隣る３個の建物ユニット２０の３本の柱２１の柱脚２１Ａを基礎６０に剛接合して固定するものである。図１５の基礎６０が図１０の基礎６０と異なる点は、基礎構造体６３として、図１６に示す如く、平面視で変形十字状をなす本体部６３Ａの変形十字状底部における変形十字の交差部を含む５位置のそれぞれに設けたボルト固定プレート６３Ｂを、べた基礎６１上にてアンカーボルト６２により固定することにある。
【００４０】
図１７は、建物ユニット２０の基礎接合部の変形例を示すものであり、ユニット建物１０の相隣る４個の建物ユニット２０の４本の柱２１の柱脚２１Ａを基礎６０に剛接合して固定するものである。図１７の基礎６０が図１０の基礎６０と異なる点は、基礎構造体６３として、図１８に示す如く、平面視で十字状をなす本体部６３Ａの十字状底部における十字の交差部を含む５位置のそれぞれに設けたボルト固定プレート６３Ｂを、べた基礎６１上にてアンカーボルト６２により固定することにある。
【００４１】
ここで、柱脚２１Ａの被取付金具６５のねじ孔６５Ａを、基礎６０の取付金物６４の取付孔６４Ａに対して位置合せする手段として、ガイドピン７０を用いる。ガイドピン７０は、図１９に示す如く、柱脚２１Ａの被取付金具６５のねじ孔６５Ａに螺着されるおねじ部７１と、おねじ部に不完全ねじ部７２を介して連続する支軸７３と、支軸７３の外周に装填されるカラー状ガイド部７４を有する。ガイドピン７０は、支軸７３の先端の鍛造成形される大径抜け止め部７５と不完全ねじ部７２の間に、カラー状ガイド部７４を抜け止め支持する。カラー状ガイド部７４の最大外径はおねじ部７１、不完全ねじ部７２の外径より僅かに大径とされ、カラー状ガイド部７４の先端外周〜支軸７３の先端外周はテーパ状に連続する先細り部７６を形成して取付孔６４Ａへの挿入性を良好にする。カラー状ガイド部７４の内周には潤滑用オイル溝７４Ａが形成されるとともに、カラー状ガイド部７４の内周と支軸７３の外周の間にはクリアランスが形成され、カラー状ガイド部７４を支軸７３に対し円滑に回転自在にする。支軸７３の先端面には六角孔等の工具係合孔７３Ａが設けられ、工具係合孔７３Ａに係合させた工具に加える回転操作により、おねじ部７１を取付金具６５のねじ孔６５Ａに着脱可能にする。
【００４２】
従って、基礎６０への柱脚２１Ａの接合手順は以下の如くなされる。
(1)建物ユニット２０の基礎６０への据付直前に、図２０に示す如く、ガイドピン７０の工具係合孔７３Ａに係合させた工具を用いて、ガイドピン７０のおねじ部７１を柱２１の柱脚２１Ａに設けた被取付金具６５のねじ孔６５Ａに螺着する。
【００４３】
(2)柱脚２１Ａのねじ孔６５Ａに螺着したガイドピン７０のカラー状ガイド部７４を、図２０に示す如く、基礎６０の取付金物６４の取付孔６４Ａに挿入し、ねじ孔６５Ａを取付孔６４Ａに対して位置合せする。
【００４４】
(3)ガイドピン７０の工具係合孔７３Ａに係合させた工具を用いて、柱脚２１Ａのねじ孔６５Ａに螺着してあるガイドピン７０をねじ孔６５Ａ及び取付孔６４Ａから取外し、この取外し後の取付孔６４Ａに挿通した高力ボルト６６を柱脚２１Ａのねじ孔６５Ａに仮止めする。
【００４５】
(4)基礎６０の取付金物６４の全ての取付孔６４Ａに挿通した高力ボルト６６を、柱脚２１Ａのねじ孔６５Ａに本締めする。
【００４６】
図２１のガイドピン７０Ａは、図１９のガイドピン７０の変形例であり、ガイドピン７０の大径抜け止め部７５を撤去し、支軸７３の軸方向の概ね全域に連続する真直状外周の先端側に環状溝７５Ａを設け、この環状溝７５Ａに止め輪７５Ｂを係着した。ガイドピン７０Ａは、支軸７３に設けた止め輪７５Ｂと不完全ねじ部７２の間で、カラー状ガイド部７４を抜け止め支持する。
【００４７】
建物ユニット２０の上述した基礎接合構造によれば、基礎６０に設けた取付金物６４の取付孔６４Ａに、柱脚２１Ａに設けた被取付金具６５のねじ孔６５Ａを位置合せし、高力ボルト６６により被取付金具６５を取付金物６４に接合した。従って、柱脚２１Ａを基礎６０に対し簡易に剛接合できる。
【００４８】
また、ガイドピン７０を用いることにより、基礎６０に設けた取付金物６４の取付孔６４Ａと、柱脚２１Ａに設けた被取付金具６５のねじ孔６５Ａの位置ずれを矯正し、被取付金具６５のねじ孔６５Ａを取付金物６４の取付孔６４Ａに容易に位置合せし、高力ボルト６６の取付孔６４Ａへの挿入、及びねじ孔６５Ａへの螺着の容易を図ることができる。
【００４９】
図２２はピロティ（車庫等を含む）を構成する建物ユニット２０のための基礎接合構造であり、建物ユニット２０は、骨組構造体の少なくとも一側面に床梁２２を有さない。基礎６０におけるべた基礎６１の埋込みプレート６１Ａに固着したアンカーボルト６２に、鋼製基礎構造体８０を固定する。基礎構造体８０は、べた基礎６１上でアンカーボルト６２に固定された本体部８１の上部に板状の鋼製取付金物８２を溶接にて固定し、取付金物８２に複数個（例えば４個）の取付孔８２Ａを設ける。他方、建物ユニット２０の柱２１の柱脚２１Ａの中空下端部内の複数ヵ所(例えば４ヵ所）のそれぞれには、被取付金具６５が溶接にて固定され、各被取付金具６５にねじ孔６５Ａが設けられる。従って、基礎６０への建物ユニット２０の据付時に、ガイドピン７０を用いる等により、基礎６０の取付金物８２の取付孔８２Ａに、柱脚２１Ａの被取付金具６５のねじ孔６５Ａを位置合せし、取付金物８２の取付孔８２Ａに挿通した高力ボルト６６を被取付金具６５のねじ孔６５Ａに螺着することにより、柱脚２１Ａを基礎６０の取付金物８２に剛接合する。
【００５０】
尚、基礎構造体８０は、本体部８１を基礎６０におけるべた基礎６１の埋込みプレート６１Ａに固着したアンカーボルト６２に固定するものに限らず、本体部８１をべた基礎６１に植設し、本体部８１のべた基礎６１への植設部に、実施例２において支持体４１に設けた係止突起４１Ａと同様の係止突起を備えるものとしても良い。
【００５１】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の実施において、建物ユニットの床梁は柱脚に剛接合してなるものでも良い。また、建物ユニットは、軸組構造体に限らず、壁式構造体であっても良い。また、建物ユニットの床枠組、天井枠組は、四辺形であるものに限定されない。
【図面の簡単な説明】
【００５２】
【図１】図１はユニット建物の模式平面図である。
【図２】図２は建物ユニットを示し、（Ａ）は側面図、（Ｂ）は模式図である。
【図３】図３は建物ユニットの柱と床梁を示す断面図である。
【図４】図４は建物ユニットの基礎接合構造を示し、（Ａ）は縦断面図、（Ｂ）は平面図である。
【図５】図５は相隣る建物ユニットの水平連結構造を示す平面図である。
【図６】図６は建物ユニットの柱脚と中子の接合構造を示し、（Ａ）は桁方向接合断面図、（Ｂ）妻方向接合断面図である。
【図７】図７は建物ユニットの基礎接合構造を示す縦断面図である。
【図８】図８は建物ユニットの柱脚と中子の接合構造を示し、（Ａ）は縦断面図、（Ｂ）は平面図である。
【図９】図９は中子を示し、（Ａ）は縦断面図、（Ｂ）は平面図である。
【図１０】図１０は建物ユニットの基礎接合部を示す平面図である。
【図１１】図１１は建物ユニットの基礎接合構造を示す縦断面図である。
【図１２】図１２は基礎構造体を示し、（Ａ）は平面図、（Ｂ）は縦面図である。
【図１３】図１３は建物ユニットの基礎接合部の変形例を示す平面図である。
【図１４】図１４は基礎構造体を示し、（Ａ）は平面図、（Ｂ）は縦断面図である。
【図１５】図１５は建物ユニットの基礎接合部の変形例を示す平面図である。
【図１６】図１６は基礎構造体を示す平面図である。
【図１７】図１７は建物ユニットの基礎接合部の変形例を示す平面図である。
【図１８】図１８は基礎構造体を示す平面図である。
【図１９】図１９はガイドピンを示す断面図である。
【図２０】図２０は基礎への柱脚の接合過程を示す斜視図である。
【図２１】図２１はガイドピンの変形例を示す断面図である。
【図２２】図２２は建物ユニットの基礎接合構造を示す縦断面図である。
【符号の説明】
【００５３】
１０  ユニット建物
１１  基礎
２０  建物ユニット
２１  柱
２１Ａ  柱脚
３１  高力ボルト
６０  基礎
６４  取付金物
６４Ａ、８２Ａ  取付孔（取付部）
６５  被取付金具
６５Ａ  ねじ孔（被取付部）
６６  高力ボルト
７０、７０Ａ  ガイドピン
７１  おねじ部
７３  支軸
７３Ａ  工具係合孔
７４  カラー状ガイド部
７４Ａ  潤滑用オイル溝
７５  抜け止め部
７５Ａ  環状溝
７５Ｂ  止め輪
７６  先細り部
【図１】
0004886763.tif 000002
【図２】
0004886763.tif 000003
【図３】
0004886763.tif 000004
【図４】
0004886763.tif 000005
【図５】
0004886763.tif 000006
【図６】
0004886763.tif 000007
【図７】
0004886763.tif 000008
【図８】
0004886763.tif 000009
【図９】
0004886763.tif 000010
【図１０】
0004886763.tif 000011
【図１１】
0004886763.tif 000012
【図１２】
0004886763.tif 000013
【図１３】
0004886763.tif 000014
【図１４】
0004886763.tif 000015
【図１５】
0004886763.tif 000016
【図１６】
0004886763.tif 000017
【図１７】
0004886763.tif 000018
【図１８】
0004886763.tif 000019
【図１９】
0004886763.tif 000020
【図２０】
0004886763.tif 000021
【図２１】
0004886763.tif 000022
【図２２】
0004886763.tif 000023